(57)【特許請求の範囲】
【請求項１】
コンクリート構造物の側面を形成するために設置される型枠の支持装置であって、
前記型枠の下部に隣接して設置されるとともに、前記型枠から離隔する方向と前記型枠に略平行する方向の２方向に延伸されるアーム間の内角が前記型枠の勾配に合わせて固定された型枠側底角ホルダーと、
地盤に埋め込まれるクサビ状部を有するとともに、前記型枠側底角ホルダーの前記型枠から離隔する方向のアームに向けて延伸されるアームと前記型枠の上縁に向けて延伸されるアームとが回動自在に連結されたクサビ側底角ホルダーと、
前記型枠の上縁に固定される支持バーを有するとともに、前記型枠側底角ホルダーと前記クサビ側底角ホルダーのアームのそれぞれに向けて延伸される２本のアームが回動自在に連結された頂角ホルダーと、
前記アーム間を任意の長さでそれぞれ繋ぐ３本の辺材部とを備えたことを特徴とする型枠の支持装置。
【請求項２】
前記辺材部は木製であって、締結具によって任意の位置で前記アームに固定されることを特徴とする請求項１に記載の型枠の支持装置。
【請求項３】
前記アームは筒状に形成されるとともに、前記型枠側底角ホルダーのアームは他のホルダーのアームとは反対側の端部が閉塞されていることを特徴とする請求項２に記載の型枠の支持装置。
【請求項４】
前記クサビ状部は、前記型枠側底角ホルダーのアームに向けて延伸される前記クサビ側底角ホルダーのアームの側面に固定される筒状部と、その筒状部に挿入されて任意の位置で固定されるクサビ材とを有することを特徴とする請求項１乃至３のいずれか一項に記載の型枠の支持装置。
【請求項５】
前記型枠側底角ホルダーに、地盤に埋め込まれるクサビ状部が取り付けられることを特徴とする請求項１乃至４のいずれか一項に記載の型枠の支持装置。
【発明の詳細な説明】
【技術分野】
【０００１】
本発明は、べた基礎や布基礎などのコンクリート構造物を構築する際に、側面を形成するために設置される型枠の支持装置に関するものである。
【背景技術】
【０００２】
基礎コンクリートを構築するに際しては、側面を形成するために地面に鉛直に型枠を立てることになるが、型枠だけでは自立しないうえに、コンクリートの側圧によって倒れないようにするために、型枠を支持装置によって支持させることが知られている（特許文献１−３など）。
【０００３】
特許文献１，２に開示されている型枠の支持装置は、長さ調節が可能な２本のアームによって型枠の背面側に二等辺三角形を形成し、地盤に打ち込んだクサビや支持杭と繋いで支持させる構成が開示されている。
【０００４】
また、特許文献３には、擁壁を構築する際にコンクリートに埋設される位置に設置される捨型枠の支持アングルが開示されている。この支持アングルは、鋼材によって直角三角形状に形成されている。
【先行技術文献】
【特許文献】
【０００５】
【特許文献１】特開平７−１９７６５３号公報
【特許文献２】特開平８−４２１４４号公報
【特許文献３】特開平８−１９９５９７号公報
【発明の概要】
【発明が解決しようとする課題】
【０００６】
しかしながら、特許文献１，２に開示されている支持装置は、２本のアームの長さと内角の大きさを自由に調節できるため、型枠を様々な勾配で支持させることができるが、自由度が多すぎて調節に手間がかかる。
【０００７】
また、特許文献３の支持アングルは、決められた大きさの直角三角形であって、高さがボルトの長さの範囲で変更できるだけの構成であるため、適用できる型枠の高さが限られている。
【０００８】
そこで、本発明は、様々な高さの型枠に共通して適用できるうえに、型枠を所定の勾配で迅速に支持させることが可能な型枠の支持装置を提供することを目的としている。
【課題を解決するための手段】
【０００９】
前記目的を達成するために、本発明の型枠の支持装置は、コンクリート構造物の側面を形成するために設置される型枠の支持装置であって、前記型枠の下部に隣接して設置されるとともに、前記型枠から離隔する方向と前記型枠に略平行する方向の２方向に延伸されるアーム間の内角が前記型枠の勾配に合わせて固定された型枠側底角ホルダーと、地盤に埋め込まれるクサビ状部を有するとともに、前記型枠側底角ホルダーの前記型枠から離隔する方向のアームに向けて延伸されるアームと前記型枠の上縁に向けて延伸されるアームとが回動自在に連結されたクサビ側底角ホルダーと、前記型枠の上縁に固定される支持バーを有するとともに、前記型枠側底角ホルダーと前記クサビ側底角ホルダーのアームのそれぞれに向けて延伸される２本のアームが回動自在に連結された頂角ホルダーと、前記アーム間を任意の長さでそれぞれ繋ぐ３本の辺材部とを備えたことを特徴とする。
【００１０】
ここで、前記辺材部は木製であって、締結具によって任意の位置で前記アームに固定される構成とすることができる。また、前記アームは筒状に形成されるとともに、前記型枠側底角ホルダーのアームは他のホルダーのアームとは反対側の端部が閉塞された構成にすることができる。
【００１１】
さらに、前記クサビ状部は、前記型枠側底角ホルダーのアームに向けて延伸される前記クサビ側底角ホルダーのアームの側面に固定される筒状部と、その筒状部に挿入されて任意の位置で固定されるクサビ材とを有する構成にすることができる。また、前記型枠側底角ホルダーに、地盤に埋め込まれるクサビ状部が取り付けられる構成であってもよい。
【発明の効果】
【００１２】
このように構成された本発明の型枠の支持装置は、型枠の下部に隣接して設置される型枠側底角ホルダーの２方向に延伸されるアームの内角が型枠の勾配に合わせて固定されている。
【００１３】
また、三角形のそれ以外の角に配置されるクサビ側底角ホルダーと頂角ホルダーのアームどうしは回動自在に連結されるともに、アーム間は辺材部によって任意の長さでそれぞれ繋がれる。
【００１４】
このように型枠側底角ホルダーのアーム間の内角が固定されているため、型枠を所定の勾配で迅速に支持させることができる。また、三角形の他の内角の大きさと辺の長さを任意に調節できるので、様々な高さの型枠に対応させることができる。
【００１５】
また、辺材部が木製であれば、ねじやボルトなどの締結具によって任意の位置で容易に固定することができる。さらに、型枠を製作した際に発生する端材である散木を辺材部にすれば、資材の有効活用ができる。
【００１６】
また、アームが筒状になっていれば木製の辺材部を挿入して支持させることによってねじれに強い構造にすることができる。さらに、筒状のアームの一端が閉塞されていれば、閉塞側から辺材部が突出することがなく調節箇所が少なくなるので、迅速に設置を行うことができる。
【００１７】
また、クサビ側底角ホルダーのクサビ状部を筒状部と任意の位置で固定されるクサビ材とによって構成すれば、クサビ材を地盤に埋め込んだ後で底角ホルダー間の辺材部を水平に容易に調整することができる。さらに、型枠側底角ホルダーにもクサビ状部を設けることによって、支持装置をより強固に地盤に固定することができる。
【図面の簡単な説明】
【００１８】
【図１】本発明の実施の形態の型枠の支持装置の構成を説明する斜視図である。
【図２】実施例１の型枠の支持装置の構成を説明する斜視図である。
【図３】実施例２の型枠の支持装置の構成を説明する側面図である。
【発明を実施するための形態】
【００１９】
以下、本発明の実施の形態について図面を参照して説明する。本実施の形態で説明する型枠１の支持装置２は、図１に示すように、べた基礎や布基礎などのコンクリート構造物としての基礎コンクリート１１の側面１１ａを形成するために設置される型枠１を、コンクリートの打設前から打設中及び硬化するまでの間、支持させるための装置である。
【００２０】
基礎コンクリート１１の側面１１ａを形成するための型枠１は、通常、地盤上又は均しコンクリート上に鉛直に設置される。また、型枠１は合板や角材などによってパネル状に形成され、高さは500mm程度までである。
【００２１】
支持装置２は、基礎コンクリート１１を構築する側とは反対側の型枠１の背面１ｂ側に設置される。すなわち、支持装置２は、型枠１が基礎コンクリート１１の側面１１ａから離隔する方向に傾くのを抑えるために設置される。
【００２２】
また、支持装置２は、型枠１から受ける力に応じて必要な数だけ、型枠１の延伸方向に間隔を置いて複数、設置される。図１には、その一つを拡大して示している。
【００２３】
支持装置２は、型枠１の下部に隣接して設置される型枠側底角ホルダー３と、地盤に埋め込まれるクサビ状部としてのクサビ４４を有するクサビ側底角ホルダー４と、型枠１の上縁１ａに固定される支持バー５４を有する頂角ホルダー５と、型枠側底角ホルダー３とクサビ側底角ホルダー４と頂角ホルダー５との間をそれぞれ繋ぐ３本の辺材部としての散木６１，６２，６３とによって主に構成される。
【００２４】
型枠側底角ホルダー３は、型枠１から離隔する方向に延伸されるアームとしての底辺アーム３１と、型枠１の背面１ｂに略平行する方向に延伸されるアームとしての垂辺アーム３２とを備えている。
【００２５】
底辺アーム３１と垂辺アーム３２は、四角筒状の角形鋼管などによって形成される。底辺アーム３１と垂辺アーム３２は、端部３１ａ，３２ａが両方とも突出する位置で交差させて溶接などによって接合される。
【００２６】
交差する底辺アーム３１と垂辺アーム３２の内角は、型枠１の勾配に合わせて固定される。本実施の形態では型枠１を鉛直に立てるため、底辺アーム３１と垂辺アーム３２間の内角は直角（９０°）に固定される。
【００２７】
また、底辺アーム３１の型枠１側の端部３１ａと、垂辺アーム３２の地盤側の端部３２ａは、鋼板などによって閉塞される。そして、型枠側底角ホルダー３は、垂辺アーム３２の端部３２ａが地盤に接するように配置される。この端部３２ａを設置する地盤が水平であれば、底辺アーム３１は水平方向に延伸されることになる。
【００２８】
クサビ側底角ホルダー４は、型枠側底角ホルダー３の底辺アーム３１に向けて延伸されるアームとしての底辺アーム４１と、型枠１の上縁１ａに向けて延伸される斜辺アーム４２と、底辺アーム４１と斜辺アーム４２とを回動自在に連結させる回動軸４３と、クサビ４４とを備えている。
【００２９】
底辺アーム４１と斜辺アーム４２は、四角筒状の角形鋼管などによって形成される。また、斜辺アーム４２の地盤側の端部４２ａは、鋼板などによって閉塞される。なお、底辺アーム４１は、両端が閉塞されることなく開放されている。
【００３０】
また、底辺アーム４１と斜辺アーム４２とを連結させる回動軸４３は、ピンやねじなどによって形成され、一方の端部が底辺アーム４１又は斜辺アーム４２の側壁に回動自在に支持される構成となっている。
【００３１】
そして、クサビ４４は、角形鋼管の先端を鋭角に加工するなどして形成され、底辺アーム４１の底面に先端を下方に向けて取り付けられる。底辺アーム４１とクサビ４４とは略直交する角度で固定される。このクサビ４４は、地盤に埋め込まれる。
【００３２】
頂角ホルダー５は、クサビ側底角ホルダー４の斜辺アーム４２に向けて延伸されるアームとしての斜辺アーム５１と、型枠側底角ホルダー３の垂辺アーム３２に向けて延伸されるアームとしての垂辺アーム５２と、斜辺アーム５１と垂辺アーム５２とを回動自在に連結させる回動軸５３と、支持バー５４とを備えている。
【００３３】
斜辺アーム５１と垂辺アーム５２は、四角筒状の角形鋼管などによって形成される。また、斜辺アーム５１と垂辺アーム５２は、両端が閉塞されることなく開放されている。
【００３４】
さらに、斜辺アーム５１と垂辺アーム５２とを連結させる回動軸５３は、ピンやねじなどによって形成され、一方の端部が斜辺アーム５１又は垂辺アーム５２の側壁に回動自在に支持される構成となっている。
【００３５】
そして、支持バー５４は、垂辺アーム５２の斜辺アーム５１を取り付けた側とは反対側の側面の上部に、先端を型枠１の上縁１ａに向けて取り付けられる。この支持バー５４は、垂辺アーム５２と略直交する角度で固定される。
【００３６】
支持バー５４の型枠１側の端部には、上方から下方に向けて捩じ込む固定ねじ５４ａが装着される。この固定ねじ５４ａを型枠１の上縁１ａに捩じ込むことによって、支持装置２と型枠１とが接合され、支持装置２に型枠１が支持されることになる。
【００３７】
上述した型枠側底角ホルダー３とクサビ側底角ホルダー４と頂角ホルダー５のアーム（３１，４１、４２，５１、５２，３２）間を繋ぐ散木６１，６２，６３は、型枠１を製作した際に発生する端材によって成形される四角柱状の木材である。
【００３８】
散木６１は、一方の端部が型枠側底角ホルダー３の底辺アーム３１の閉塞された端部３１ａに突き当たるまで挿入される。また、他方の端部６１ａは、クサビ側底角ホルダー４の底辺アーム４１に挿入されて、型枠側底角ホルダー３の反対側に突出される。
【００３９】
この散木６１に対して、底辺アーム４１に装着された締結具としての固定ねじ７１を捩じ込むことによって、底辺アーム３１，４１間の距離を任意の長さに調節して固定することができる。
【００４０】
一方、散木６２は、一方の端部がクサビ側底角ホルダー４の斜辺アーム４２の閉塞された端部４２ａに突き当たるまで挿入される。また、他方の端部６２ａは、頂角ホルダー５の斜辺アーム５１に挿入されて、クサビ側底角ホルダー４の反対側に突出される。
【００４１】
この散木６２に対して、斜辺アーム５１に装着された締結具としての固定ねじ７２を捩じ込むことによって、斜辺アーム４２，５１間の距離を任意の長さに調節して固定することができる。
【００４２】
さらに、散木６３は、一方の端部が型枠側底角ホルダー３の垂辺アーム３２の閉塞された端部３２ａに突き当たるまで挿入される。また、他方の端部６３ａは、頂角ホルダー５の垂辺アーム５２に挿入されて、型枠側底角ホルダー３の反対側に突出される。
【００４３】
この散木６３に対して、垂辺アーム５２に装着された締結具としての固定ねじ７３を捩じ込むことによって、垂辺アーム５２，３２間の距離を任意の長さに調節して固定することができる。
【００４４】
次に、本実施の形態の型枠１の支持装置２の設置方法、及び作用について説明する。
【００４５】
まず、パネル状の型枠１を合板や角材を使って製作する。また、予め支持装置２の大まかな形状を決めておく。続いて、型枠１の背面１ｂ側の地盤において、支持装置２の形状から算出される位置にクサビ側底角ホルダー４のクサビ４４を打ち込んで地盤に固定する。このクサビ４４は鋼製であるため、硬い地盤にも簡単に打ち込むことができる。
【００４６】
そして、クサビ側底角ホルダー４の底辺アーム４１の延長線状の型枠１に隣接した位置に、底辺アーム３１を底辺アーム４１に向けるとともに垂辺アーム３２が上方を向くような向きにした型枠側底角ホルダー３を設置する。
【００４７】
さらに、クサビ側底角ホルダー４の底辺アーム４１に散木６１を挿入し、端部が型枠側底角ホルダー３の底辺アーム３１の端部３１ａに突き当たるまで挿し込む。また、固定ねじ７１を軽く締めて、底辺アーム４１に散木６１を仮止めする。
【００４８】
一方、型枠側底角ホルダー３の垂辺アーム３２には散木６３を挿し込む。そして、型枠１の背面１ｂと略平行になるように立ち上げられた散木６３に頂角ホルダー５の垂辺アーム５２を嵌め込み、支持バー５４の端部が型枠１の上縁１ａに当たる位置で固定ねじ７３を締めて仮止めする。
【００４９】
続いて頂角ホルダー５の斜辺アーム５１に散木６２を挿入し、端部がクサビ側底角ホルダー４の斜辺アーム４２の端部４２ａに突き当たるまで挿し込む。さらに、固定ねじ７２を軽く締めて、斜辺アーム５１に散木６２を仮止めする。
【００５０】
この状態で位置出しのために設置されている水糸や墨出しを利用して、型枠１を正確な位置で正確な勾配（ここでは鉛直）に合わせる。そして、位置合わせをした型枠１の上縁１ａに固定ねじ５４ａを捩じ込んで支持バー５４の端部を型枠１に固定する。
【００５１】
この段階で支持装置２にねじれやゆがみが発生していないかを確認し、ねじれ等がある場合は固定ねじ７１，７２，７３を緩めて調整し、安定した形状に整えてから固定ねじ７１，７２，７３を散木６１，６２，６３に捩じ込んで本固定する。
【００５２】
このような手順で型枠１の背面１ｂに間隔を置いて複数の支持装置２，・・・を設置する。そして、型枠１の内部側に基礎コンクリート１１用のコンクリートを打設して硬化させる。
【００５３】
コンクリートが所定の強度に達した後には、固定ねじ７１，７２，７３を緩めて散木６１，６２，６３をアーム（３１，３２，４１，４２，５１，５２）から抜き取る。また、型枠側底角ホルダー３、クサビ側底角ホルダー４及び頂角ホルダー５を撤去する。
【００５４】
このように構成された本実施の形態の型枠１の支持装置２は、型枠１の下部に隣接して設置される型枠側底角ホルダー３の２方向に延伸される底辺アーム３１と垂辺アーム３２との間の内角が型枠１の勾配に合わせて固定されている。
【００５５】
また、直角三角形の直角以外の角に配置されるクサビ側底角ホルダー４と頂角ホルダー５のアームどうし（４１，４２、５１，５２）は回動自在に連結されるともに、アーム（３１，４１、４２，５１、５２，３２）間は散木６１，６２，６３によって任意の長さでそれぞれ繋がれる。
【００５６】
このように型枠側底角ホルダー３のアーム（３１，３２）間の内角が固定されているため、型枠１を所定の勾配で迅速に支持させることができる。また、三角形の他の内角の大きさと辺の長さを任意に調節できるので、様々な高さの型枠１に対応させることができる。
【００５７】
また、木製の散木６１，６２，６３であれば、固定ねじ７１，７２，７３やボルトなどによって任意の位置で容易に固定することができる。さらに、固定ねじ７１，７２，７３による固定であれば、釘止めする場合と比べて固定位置の修正を容易に行うことができる。そして、型枠１を製作した際に発生する端材を使用すれば、資材の有効活用ができる。
【００５８】
また、アーム（３１，３２，４１，４２，５１，５２）が筒状になっているので四角柱状の散木６１，６２，６３を挿入して支持させることで、板材のみを繋ぎ合わせて形成されたものと比べてねじれに強い剛性の高い支持装置２にすることができる。
【００５９】
さらに、筒状のアーム（３１，３２，４２）の一端が閉塞されていれば、閉塞側に散木６１，６２，６３が突出することがなく、固定ねじ７１，７２，７３などの調節箇所を最小限に抑えることができるので、迅速に支持装置２を設置することができる。
【００６０】
そして、支持装置２の撤去は、固定ねじ７１，７２，７３を緩めて散木６１，６２，６３をアーム（３１，３２，４１，４２，５１，５２）から抜き取るだけでよいため、釘抜きなどを使用する場合に比べて短時間で解体を行うことができる。また、撤去された支持装置２は、繰り返し使用することができるので経済的であるうえに、廃棄物の削減にもなる。
【実施例１】
【００６１】
次に、前記実施の形態とは別の形態の型枠１の支持装置２Ａについて、図２を参照しながら説明する。なお、前記実施の形態で説明した内容と同一乃至均等な部分の説明については、同一用語や同一符号を付して説明する。
【００６２】
前記実施の形態で説明した支持装置２では、クサビ状部としてのクサビ４４は、クサビ側底角ホルダー４の底辺アーム４１の下面に略直交する角度で固定されていた。
【００６３】
これに対して実施例１のクサビ状部４５は、クサビ側底角ホルダー４の底辺アーム４１の側面に固定される筒状部４５ａと、その筒状部４５ａに挿入されて任意の位置で固定されるクサビ材４５ｂとによって主に構成される。
【００６４】
この筒状部４５ａは、短い角形鋼管などによって形成されており、底辺アーム４１の斜辺アーム４２が取り付けられる側とは反対側の側面に溶接などによって接合される。
【００６５】
また、筒状部４５ａは、底辺アーム４１に対して軸方向が略直交する向きで固定される。このため、底辺アーム４１が水平になると筒状部４５ａの貫通孔は鉛直方向に向くことになる。
【００６６】
そして、筒状部４５ａに挿入されるクサビ材４５ｂは、四角柱状の木材（散木）によって形成される。このクサビ材４５ｂは、先端が鋭角に加工されている。
【００６７】
このクサビ材４５ｂに対して、筒状部４５ａに装着された締結具として固定ねじ７４を捩じ込むことによって、クサビ材４５ｂの地盤に向けての突出長さを任意に調節して固定することができる。
【００６８】
このように構成された実施例１の支持装置２Ａは、クサビ材４５ａを地盤に打ち込んだ後に、型枠側底角ホルダー３とクサビ側底角ホルダー４とを繋ぐ散木６１を水平に合わせることができる。そして、散木６１が水平となる位置で固定ねじ７４を締めてクサビ材４５ｂを筒状部４５ａに固定すればよいので、水平の調整が容易に行える。
【００６９】
なお、この他の構成及び作用効果については、前記実施の形態又は他の実施例と略同様であるため説明を省略する。
【実施例２】
【００７０】
次に、前記実施の形態とは別の形態の型枠１の支持装置２Ｂについて、図３を参照しながら説明する。なお、前記実施の形態又は実施例１で説明した内容と同一乃至均等な部分の説明については、同一用語や同一符号を付して説明する。
【００７１】
前記実施の形態及び実施例１で説明した支持装置２，２Ａは、辺材部として散木６１，６２，６３を使用したが、この実施例２で説明する支持装置２Ｂは、辺材部として板状の連結バー８１，８２，８３を使用する。
【００７２】
この連結バー８１，８２，８３は、帯状の鋼板やステンレス板などによって形成される。連結バー８１，８２，８３の一方の端部側には、連結バー８１，８２，８３の長手方向と同方向に延びる長穴８１ａ，８２ａ，８３ａが設けられる。
【００７３】
また、連結バー８１，８２，８３の他方の端部８１ｃ，８２ｃ，８３ｃは、溶接などによって各アーム（３１，３２，４２）の側面に接合される。ここでは、各アーム（３１，３２，４１，４２，５１，５２）は、前記実施の形態で説明した四角筒状の角形鋼管を使用する場合について説明するが、これに限定されるものではなく、鋼板などで長方形板状に形成されたものであってもよい。
【００７４】
このように連結バー８１，８２，８３によってアーム（３１，４１、４２，５１、５２，３２）間の距離を任意の長さに調節するために、長穴８１ａ，８２ａ，８３ａの任意の位置で調節ねじ８１ｂ，８２ｂ，８３ｂによって固定できる構成にする。
【００７５】
すなわち、調節ねじ８１ｂ，８２ｂ，８３ｂは、各アーム（４１，５１，５２）の所定の位置に捩じ込まれるねじで、緩めた状態で連結バー８１，８２，８３をスライドさせて所望する位置に合わせ、調節ねじ８１ｂ，８２ｂ，８３ｂを締めることによってアーム（３１，４１、４２，５１、５２，３２）間の距離を固定することができる。
【００７６】
また、支持装置２Ｂの型枠側底角ホルダー３の垂辺アーム３２の地盤側の面となる端部３２ａには、クサビ状部としてのクサビ３３が先端を下方に向けて取り付けられる。
【００７７】
このクサビ３３は、角形鋼管の先端を鋭角に加工するなどして形成され、地盤に埋め込まれる。クサビ３３は鋼製であるため、硬い地盤にも簡単に打ち込むことができる。
【００７８】
このように構成された実施例２の支持装置２Ｂは、型枠側底角ホルダー３とクサビ側底角ホルダー４の両方がクサビ３３，４４によって地盤に固定される。型枠側底角ホルダー３の地盤側の端部３２ａにもクサビ３３を設けることによって、支持装置２Ｂをより強固に地盤に固定することができる。
【００７９】
なお、この他の構成及び作用効果については、前記実施の形態又は他の実施例と略同様であるため説明を省略する。
【００８０】
以上、図面を参照して、本発明の実施の形態及び実施例を詳述してきたが、具体的な構成は、この実施の形態又は実施例に限らず、本発明の要旨を逸脱しない程度の設計的変更は、本発明に含まれる。
【００８１】
例えば、前記実施の形態又は実施例では、型枠側底角ホルダー３の底辺アーム３１と垂辺アーム３２とを直角に固定したが、これに限定されるものではく、型枠１を斜めに設置する場合はその勾配に合わせた角度に底辺アーム３１と垂辺アーム３２間の内角を設定すればよい。
【００８２】
また、前記実施の形態又は実施例２では、クサビ状部としてクサビ３３，４４を使って説明したが、これに限定されるものではなく、先端が尖った小径の杭やペグなどもクサビ状部として利用することができる。
【００８３】
さらに、前記実施の形態又は実施例１では、アーム（３１，３２，４２）の端部を閉塞する場合について説明したが、これに限定されるものではなく、これらのアーム（３１，３２，４２）の両端を開放させ、固定ねじによって散木６１，６２，６３を固定する構成にすることもできる。
【００８４】
また、前記実施例２では、型枠側底角ホルダー３の垂辺アーム３２の端部３２ａにクサビ３３を取り付ける場合について説明したが、これに限定されるものではなく、底辺アーム３１の地盤側となる底面にクサビ３３を取り付けることもできる。
【００８５】
さらに、前記実施例２では、支持装置２Ｂの型枠側底角ホルダー３の端部３２ａにクサビ３３を設ける場合について説明したが、前記実施の形態又は実施例１の支持装置２，２Ａの型枠側底角ホルダー３の地盤側の端部３２ａにも同様にクサビ３３を設けることができる。
【符号の説明】
【００８６】
１              型枠
１ａ            上縁
１１            基礎コンクリート（コンクリート構造物）
１１ａ          側面
２，２Ａ，２Ｂ  支持装置
３              型枠側底角ホルダー
３１            底辺アーム（アーム）
３１ａ          端部
３２            垂辺アーム（アーム）
３２ａ          端部
３３            クサビ（クサビ状部）
４              クサビ側底角ホルダー
４１            底辺アーム（アーム）
４２            斜辺アーム（アーム）
４２ａ          端部
４３            回動軸
４４            クサビ（クサビ状部）
４５            クサビ状部
４５ａ          筒状部
４５ｂ          クサビ材
５              頂角ホルダー
５１            斜辺アーム（アーム）
５２            垂辺アーム（アーム）
５３            回動軸
５４            支持バー
６１，６２，６３  散木（辺材部）
７１，７２，７３，７４  固定ねじ（締結具）
８１，８２，８３  連結バー（辺材部）
【図１】
0005808685.tif 000002
【図２】
0005808685.tif 000003
【図３】
0005808685.tif 000004